(57)【要約】      （修正有）【課題】簡単に装着可能でありながら脱落しにくく、快適感とスムーズな排尿ができる上に、尿液が漏れず、衛生と安全とが確保される、採尿器と結合するカラーを提供する。【解決手段】採尿器と結合するカラー１であり、管状で伸縮弾性を有する不透水性ゴム套体から形成される。カラー１の一端は、採尿器の開口部位２１をしっかりと包み込み、他端には、開口２２を隠すことが可能な一つの漏れ止めリング１１と漏れ止めリングの中央にあるカラー口１２とが採尿器の開口部位２１が広がることによって自動的に形成される。カラー口１２を陰茎に固定させ、採尿器内の導尿空間を外部から隔離することにより、尿液が外部に漏れることを防く。また陰茎が勃起または勃起しないときの拡張余裕度または収縮余裕度により陰茎に与える束縛感を避けることによって、漏れ防止及び快適な装着感を持つ。【選択図】図２
0003212123.tif 000002
【実用新案登録請求の範囲】
【請求項１】
管状で伸縮弾性を有する不透水性套体から形成され、採尿器と結合するカラーであって、
前記カラーの一端は、採尿器の開口部位を包み込み、
前記カラーの他端には、前記採尿器の開口部位が広がると開口を隠すことが可能な漏れ止めリングと、前記漏れ止めリングの中央部にカラー口と、が形成されることを特徴とする採尿器と結合するカラー。
【請求項２】
ゴム、プラスチック、ラテックス、シリコーンのうちの少なくとも一つから形成される、請求項１に記載の採尿器と結合するカラー。
【考案の詳細な説明】
【技術分野】
【０００１】
本考案は、採尿器の漏れ防止及び快適な装着感を高めるカラーに関する。
【背景技術】
【０００２】
長期臥床及び自力で排出できない男性患者にとって、排尿は大きな問題であり、現在の排尿処理方法は通常大人用おむつ又は集尿器を使う。大人用おむつでおしりを包むと蒸し暑く感じ、かつ皮膚病変や尿道感染を避けるために、常におむつを交換しなければならないので、介護者や患者の不便解決するために、殆どの男性患者は集尿器を装着する。集尿器は導尿空間を持ち、かつ直筒状又はカップ状採尿器２、３を呈する。採尿器２、３は、導管５、及び、尿袋６に接続し、かつ制御弁８を持つ尿排出用カテーテル７と交差接続する。図５に示すように、使用するとき、採尿器２、３の開口で陰茎を覆い隠し、亀頭を採尿器２、３の導尿空間２３に入れることによって巻バンドで固定させる。排尿するとき、尿液は採尿器２、３、及び、導管５から尿袋６へ流れ込む。尿液が一定量以上となったとき、制御弁８を開け尿排出用カテーテル７から排出する。
【考案の概要】
【考案が解決しようとする課題】
【０００３】
しかし、従来の採尿器２、３は巻バンドで巻き固定しているために、患者が体をひっくり返すと隙間が形成され、尿液は隙間に沿って外部に漏れると、ニオイや汚れの原因になり、また採尿器２、３も脱落するので、隙間形成と採尿器２、３脱落を避けるために、陰茎が勃起前に巻バンドできつく縛ることが必要であり、陰茎が勃起するとき、患者に不快感を与え、また排尿できない問題を解決しなければならない。
本考案は、上記課題に鑑みて創作されたものであり、その目的は、簡単に装着可能でありながら脱落しにくく、快適感とスムーズな排尿ができる上に、尿液が漏れず、衛生と安全とが確保される採尿器と結合するカラーを提供することにある。
【課題を解決するための手段】
【０００４】
本考案の採尿器と結合するカラーは、管状で伸縮弾性を持つ不透水性套体である。カラーの一端は採尿器の開口部位を包み込む。カラーの他端には、採尿器の開口部位が広がると、開口を隠すことが可能な漏れ止めリングと、漏れ止めリングの中央にあるカラー口と、が形成される。
【０００５】
本考案の採尿器と結合するカラーは、カラー口を陰茎に固定させ、採尿器内の導尿空間を外部から隔離することにより、導尿空間内の尿液が外部に漏れることを防ぎ、また陰茎が勃起する、または、勃起しないときの拡張余裕度、または、収縮余裕度により、カラー口が陰茎に与える束縛感を避けることによって、採尿器の漏れ防止及び快適な装着感を高める。
【０００６】
本考案により提供する採尿器と結合するカラーは、ゴム、プラスチック、ラテックス、シリコーンのうちの少なくとも一つから形成される。
【図面の簡単な説明】
【０００７】
【図１】本考案のカラーと直筒状採尿器側面図である。
【図２】本考案のカラーと直筒状採尿器を結合するときの側断面図である。
【図３】本考案のカラーと直筒状採尿器を結合するときの模式図である。
【図４】本考案のカラーとカップ状採尿器を結合するときの模式図である。
【図５】従来の集尿器の構造模式図である。
【考案を実施するための形態】
【０００８】
（一実施例）
図１、図２及び図３を参照しつつ説明する。管状で伸縮弾性を持つ不透水性ゴム套体のカラー１は、ゴム、プラスチック、ラテックス、シリコーン等の一種の弾性材料により形成されたので、一層ソフトな感触と拡張余裕度、または、収縮余裕度を有する。カラー１の一端は拡張弾性、または、収縮弾性によって一つの直筒状の採尿器２の開口部位２１をしっかりと包み込む。他端には採尿器２の開口部位２１が広がると、開口２２を隠すことが可能な漏れ止めリング１１と漏れ止めリングの中央にあるカラー口１２とが自動的に形成される。
【０００９】
カラー口１２を陰茎４に固定させ、採尿器２内の導尿空間２３を外部から隔離させ、導尿空間２３内の尿液が外部に漏れることを防ぐ。また陰茎４が勃起する、または、勃起しないときの拡張余裕度、または、収縮余裕度により、カラー口１２が陰茎４に与える束縛感を避ける。これより、採尿器の漏れ防止及び快適な装着感を高め、陰茎４に対する包み込みを維持し、採尿器２が脱落することを避ける。
【００１０】
図４に本考案の別の実施例を示す。図に示すように、一般のカップ状採尿器３を使用するとき、上記の直筒状採尿器２とは造形が違うだけで、他は全く同じであるので、ここでは省略する。
【００１１】
上記をまとめると、本考案のカラー１の一端は採尿器２の開口部位２１をしっかりと包み込み、他端は漏れ止めリング１１とカラー口１２とによって形成される。カラー口１２を陰茎４に固定させ、寝ているときも、立っているときも、漏れ止めリング１１の隔離作用によって、排尿時の尿液は外部に漏れず、ニオイや汚れ等の問題が発生することを有効に防止できる。またカラー口１２の拡張余裕度、または、収縮余裕度は、陰茎が勃起するまたは勃起しないことによって適度に拡張または収縮する。そのため、陰茎４に与える束縛感を避けられるので、快適感があるとともに、スムーズな排尿ができる。
【００１２】
上記実施例は、本考案の特徴を説明するだけであって、これらによって本考案の実施例の範囲を限定するものではない。実用新案登録請求の範囲の同等の意味および範囲内に入るすべての変更は、実用新案登録請求の範囲内に含まれ保護されるべきである。
【符号の説明】
【００１３】
１  カラー
１１  漏れ止めリング
１２  カラー口
２  採尿器
２１  開口部位
２２  開口
２３  導尿空間
３  カップ状採尿器
４  陰茎
５  導管
６  尿袋
７  尿排出用カテーテル
８  制御弁
【図１】
0003212123.tif 000003
【図２】
0003212123.tif 000004
【図３】
0003212123.tif 000005
【図４】
0003212123.tif 000006
【図５】
0003212123.tif 000007